(57)【特許請求の範囲】
【請求項１】
表面が導電伝熱部材で覆われ、内部に伝熱流体パイプが略水平方向に展開するよう埋設されたベースマットを備え、該ベースマット上にカーペットを積層して成るカーペット付き冷暖房マットにおいて、
前記カーペットに、金属線を表裏面側に露出するように編み込み、前記カーペットの金属線と前記ベースマットの導電伝熱部材とを接触させるように積層したことを特徴とするカーペット付き冷暖房マット。
【請求項２】
表面が導電伝熱部材で覆われ、内部に伝熱流体パイプが略水平方向に展開するよう埋設されたベースマットを備え、該ベースマット上にカーペットを積層するにあたって、その間に金属線を表裏面側に露出するように編み込んだ中間層を設け、順次積層して成るカーペット付き冷暖房マットであって、
前記カーペットに、金属線を表裏面側に露出するように編み込み、前記ベースマットの導電伝熱部材と前記中間層とを接触させ、かつ前記カーペットの導電部材と前記中間層とを接触させるように積層したことを特徴とするカーペット付き冷暖房マット。
【請求項３】
表面が導電伝熱部材で覆われ、内部に伝熱流体パイプが略水平方向に展開するよう埋設されたベースマットを備え、該ベースマット上にカーペットを積層するにあたって、その間に金属線を表裏面側に露出するように編み込んだ中間層を設け、順次積層して成るカーペット付き冷暖房マットであって、
前記カーペットに、金属線を表裏面側に露出するように編み込み、その編み込み方向は前記中間層に編み込まれた金属線とほぼ直交する方向であり、前記ベースマットの導電伝熱部材と前記中間層とを接触させ、かつ前記カーペットの導電部材と前記中間層とを接触させるように積層したことを特徴とするカーペット付き冷暖房マット。
【請求項４】
前記カーペットの金属線は、銅線であり、平行に並んだ複数の直線状に所定ピッチで表裏面側に露出するように編み込んだことを特徴とする請求項１，２または３記載のカーペット付き冷暖房マット。
【請求項５】
前記カーペットの導電部材に対し、電気的に接続される静電気除去用のアース線を備えたことを特徴とする請求項１，２，３または４記載のカーペット付き冷暖房マット。
【発明の詳細な説明】
【０００１】
【産業上の利用分野】
本発明は、表面が導電伝熱部材で覆われ、内部に伝熱流体パイプが略水平方向に展開するよう埋設されたベースマットを備え、該ベースマット上に少なくともカーペットを積層して成るカーペット付き冷暖房マットに関する。
【０００２】
【従来の技術】
従来、この種のカーペット付き冷暖房マットに関する技術としては、例えば、図４に示すようなものがある。
すなわち、カーペット付き冷暖房マット１は暖房対象床面に沿って敷設される床暖房用器具であり、更に詳しくは、ポリエチレンフォーム等で成形されたシート体２ａの内部に、伝熱流体パイプである温水パイプ３を埋設し、その表面に熱伝導率を高めるためのアルミ箔４を貼着したベースマット２を主要部とし、その表面のアルミ箔４上に不織布５を熱溶着して成る。そして、マンション等のフロアに施工した後、通常、前記カーペット付き冷暖房マット１の不織布５上にはカーペット６を積層して使用されている。
【０００３】
【発明が解決しようとする課題】
しかしながら、このような従来の技術では、カーペット６上を人が移動することにより、足裏とカーペット６の間や、カーペット６と不織布５の間での摩擦によって摩擦電荷が発生し、かかる摩擦電荷が前記不織布５やカーペット６にある程度蓄積される。このような電荷は人体にも蓄積され、それによって生じる電位が十分に大きくなると放電が発生してしまう。
【０００４】
すなわち、カーペット上を移動していた人がドアノブ等に触れた瞬間に、人体に帯電していた電荷が指先とドアノブとの間で放電するため、パチッという不快なショックを受けることが多々あり、このような静電気障害を引き起すという問題点があった。
【０００５】
本発明は、このような従来の技術が有する問題点に着目してなされたもので、不織布等に生じる摩擦電荷を速やかに逃がして、人体への帯電を防止し、静電気により不快なショックを受けるという静電気障害を除去することができるカーペット付き冷暖房マットを提供することを目的としている。
【０００６】
【課題を解決するための手段】
かかる目的を達成するための本発明の要旨とするところは、次の各項の発明に存する。
１  表面が導電伝熱部材（２３）で覆われ、内部に伝熱流体パイプ（２２）が略水平方向に展開するよう埋設されたベースマット（２０）を備え、該ベースマット（２０）上にカーペット（４０）を積層して成るカーペット付き冷暖房マット（１０）において、
前記カーペット（４０）に、金属線を表裏面側に露出するように編み込み、前記カーペット（４０）の金属線と前記ベースマット（２０）の導電伝熱部材（２３）とを接触させるように積層したことを特徴とするカーペット付き冷暖房マット（１０）。
【０００７】
２  表面が導電伝熱部材（２３）で覆われ、内部に伝熱流体パイプ（２２）が略水平方向に展開するよう埋設されたベースマット（２０）を備え、該ベースマット（２０）上にカーペット（４０）を積層するにあたって、その間に金属線を表裏面側に露出するように編み込んだ中間層（３０）を設け、順次積層して成るカーペット付き冷暖房マット（１０ａ）であって、
前記カーペット（４０）に、金属線を表裏面側に露出するように編み込み、前記ベースマット（２０）の導電伝熱部材（２３）と前記中間層（３０）とを接触させ、かつ前記カーペット（４０）の導電部材（４１）と前記中間層（３０）とを接触させるように積層したことを特徴とするカーペット付き冷暖房マット（１０ａ）。
【０００８】
３  表面が導電伝熱部材（２３）で覆われ、内部に伝熱流体パイプ（２２）が略水平方向に展開するよう埋設されたベースマット（２０）を備え、該ベースマット（２０）上にカーペット（４０）を積層するにあたって、その間に金属線を表裏面側に露出するように編み込んだ中間層（３０）を設け、順次積層して成るカーペット付き冷暖房マット（１０ａ）であって、
前記カーペット（４０）に、金属線を表裏面側に露出するように編み込み、その編み込み方向は前記中間層（３０）に編み込まれた金属線とほぼ直交する方向であり、前記ベースマット（２０）の導電伝熱部材（２３）と前記中間層（３０）とを接触させ、かつ前記カーペット（４０）の導電部材（４１）と前記中間層（３０）とを接触させるように積層したことを特徴とするカーペット付き冷暖房マット（１０ａ）。
４  前記カーペット（４０）の金属線は、銅線であり、平行に並んだ複数の直線状に所定ピッチで表裏面側に露出するように編み込んだことを特徴とする項１，２または３記載のカーペット付き冷暖房マット（１０，１０ａ）。
５  前記カーペット（４０）の導電部材（４１）に対し、電気的に接続される静電気除去用のアース線（５０）を備えたことを特徴とする項１，２，３または４記載のカーペット付き冷暖房マット（１０，１０ａ）。
【０００９】
【作用】
ベースマット（２０）上に積層するカーペット（４０）には、予めその界面に露出するよう導電部材（４１）を設ける。そして、ベースマット（２０）上にカーペット（４０）を積層する際、ベースマット（２０）の導電伝熱部材（２３）とカーペット（４０）の導電部材（４１）とが互いに接触するように配す。また、ベースマット（２０）上にカーペット（４０）を積層するにあたって、その間に電導中間層（３０）を設ける場合、電導中間層（３０）とカーペット（４０）の導電部材（４１）とが互いに接触すると共に、電導中間層（３０）とベースマット（２０）の導電伝熱部材（２３）とが互いに接触するように配す。
【００１０】
それにより、カーペット付き冷暖房マット（１０，１０ａ）はその表面側から裏面側へと通電可能な状態となる。また、カーペット（４０）の導電部材（４１）に対し、電気的に接続される静電気除去用のアース線（５０）を、該導電部材（４１）に直接取付けるか、或は電導中間層（３０）またはベースマット（２０）の導電伝熱部材（２３）に取付ける。カーペット付き冷暖房マット（１０，１０ａ）を暖房対象床面側（Ａ）に敷設する際には、前記アース線（５０）を暖房対象床面側（Ａ）に接続する。
【００１１】
カーペット付き冷暖房マット（１０，１０ａ）を床面側（Ａ）に敷設した後、その上側のカーペット（４０）上を人が移動することにより、足裏とカーペット（４０）の間や、カーペット（４０）と電導中間層（３０）の間での摩擦によって摩擦電荷が発生する。すると摩擦電荷はカーペット（４０）の導電部材（４１）や、これと接触している電導中間層（３０）を通って、ベースマット（２０）の表面の導電伝熱部材（２３）にも伝搬され、例えば該導電伝熱部材（２３）に接続されたアース線（５０）を通って床面側（Ａ）に逃がされる。
それにより、カーペット付き冷暖房マット（１０，１０ａ）上の人体に大きな電荷が蓄積されることがなくなり、カーペット（４０）や電導中間層（３０）上を移動していた人が、例えばドアノブに触れた瞬間等に、指先から放電するような静電気に起因した不快なショックを解消できる。また、ベースマット（２０）の表面の導電伝熱部材（２３）に接触するカーペット（４０）の導電部材（４１）を介して、前記ベースマット（２０）内の伝熱流体パイプ（２２）より供給される熱が速やかにカーペット（４０）表面に伝えられるため、冷暖房効率が向上する。
【００１２】
【実施例】
以下、図面に基づき本発明の各種実施例を説明する。
図１及び図２は本発明の第１実施例を示している。
本実施例に係るカーペット付き冷暖房マット１０ａは、マンションのフロア等の暖房対象床面Ａに沿って敷設される床暖房用器具であり、発熱体であるベースマット２０と、該ベースマット２０上に順次積層する不織布（電導中間層）３０及びカーペット４０とから成る。
【００１３】
ベースマット２０は、ポリエチレンフォーム等により成形したシート体２１ａに、上方に開口した配置溝２１を水平方向に展開するようジグザグ状に設けて、かかる配置溝２１内に伝熱流体パイプ２２を埋設し、その表面に熱伝導率を高めると共に均一に伝熱させるための導電伝熱部材であるアルミ箔２３を貼着して構成されている。なお、シート体２１ａの材質は、ポリエチレンフォームに限定されるものではなく、その他の合成樹脂系発泡体や、断熱性のある組成物にて成形してもよい。
【００１４】
図２に示すように、伝熱流体パイプ２２は、温水配管２５を介して図示省略した温水器を接続できるようになっており、通常は温水器より温水が供給されて昇温するように構成されている。また、伝熱流体パイプ２２により加熱されるアルミ箔２３には、暖房対象床面Ａに接続する静電気除去用のアース線５０が取付けられている。
【００１５】
ベースマット２０とカーペット４０との間の電導中間層たる不織布３０は、クッション材としての役目を果している。不織布３０には、導電部材である銅線３１が表裏面側に露出するよう編み込まれている。更に詳しくは、例えば、図２に示すように、銅線３１は等間隔に平行に並んだ複数の直線上を、所定ピッチで表側から裏側へ、裏側から表側へと繰り返すように編み込まれている。この不織布３０は、その裏面側に露出した銅線３１がベースマット２０の表面のアルミ箔２３に接触するように、通常、ベースマット２０の表面のアルミ箔２３に対し熱溶着にて一体的に接着積層されている。
【００１６】
カーペット４０は、前記不織布３０上に積層し、見栄えや風合いを良くするためのものであり、遮音性、吸音性等にも寄与している。具体的に言えば、例えば、ポリエステルやポリプロピレンの刺繍敷物、または不織布の基布に数多のパイル糸を刺し込んで作られたものである。このカーペット４０にも、導電部材である銅線４１が表裏面側に露出するように、前記不織布３０と同様に編み込まれている。なお、カーペット４０の表側に露出する銅線４１は、カーペット４０表面の見栄えや風合いを損なわないよう十分配慮されている。
【００１７】
カーペット４０は、その裏面側に露出した銅線４１が不織布３０の表面側の導電部材３１と接触するように、不織布３０上に積層されている。更に詳しくは、図２に示すように、カーペット４０は、その銅線４１の縫い込み方向が、不織布３０の銅線３１の縫い込み方向とほぼ直交するように、不織布３０上に重ね合わされている。すなわち、最小限に縫い込まれている銅線３１，４１同士が、互いに広い範囲にて接触し合うように配されている。なお、カーペット４０を不織布３０に積層する場合、一体的に接着積層してもよく、単にズレないよう載置して積層させてもよい。
【００１８】
次に作用を説明する。
カーペット付き冷暖房マット１０ａを暖房対象床面Ａに敷設する際には、ベースマット２０の表面のアルミ箔２３に取付けられているアース線５０を暖房対象床面Ａに接続する。それにより、アルミ箔２３上に順次積層している不織布３０やカーペット４０に編み込まれている銅線３１，４１は、アース線５０を介して電気的に暖房対象床面Ａに接続され、暖房対象床面Ａとカーペット付き冷暖房マット１０ａとの間の電気抵抗値が低減する。
【００１９】
図１に示すように、カーペット付き冷暖房マット１０ａを暖房対象床面Ａに敷設した後、その上表面のカーペット４０上を人が移動したりすると、足裏とカーペット４０の間や、カーペット４０と不織布３０の間での摩擦によって摩擦電荷が発生する。すると摩擦電荷である静電気はカーペット４０側の導電部材４１や、これと接触した不織布３０側の導電部材３１を通って、ベースマット２０の表面のアルミ箔２３に伝搬され、結局アース線５０を通って床面Ａに逃がされる。
【００２０】
それにより、ベースマット２０上の人体に大きな電荷が蓄積されることがなくなり、カーペット４０上を移動していた人が、例えば、ドアノブに触れた瞬間等に指先から放電してパチッという不快なショックを受けることもない。このように日常生活上、カーペット付き冷暖房マット１０ａの使用において、静電気に起因するような不快な静電気障害を十分に解消することができる。
【００２１】
また、カーペット４０やその下の不織布３０に編み込まれている導電部材が銅線３１，４１であるため、銅（Ｃｕ）のもつ抗菌作用により、雑菌やダニ等の繁殖を抑制することができる。また、ベースマット２０の表面のアルミ箔２３に対し接触し合う不織布３０の導電部材３１及びカーペット４０の銅線４１を介して、ベースマット２０内の伝熱流体パイプ２２が発する熱が速やかにカーペット４０側に伝えられ、暖房効率が向上する。なお、図示省略した温水器を作動させて、温水配管２５を介してベースマット２０内の伝熱流体パイプ２２に熱媒体である温水を循環させることにより、床面Ａは暖房される。また、冷水を通せば冷房効果もある。
【００２２】
図３は本発明の第２実施例を示している。
本実施例に係るカーペット付き冷暖房マット１０では、ベースマット２０の表面上にカーペット４０のみを積層して製品化したものである。すなわち、本実施例の構成要素は前記第１実施例と基本的には共通しているが、電導中間層である前記不織布３０を積層していない点で異なる。それにより、部品点数が削減され、コストを低減することができる。なお、第１実施例と同種の部位には同一符号を付し重複した説明を省略する。
【００２３】
なお、前記各種実施例における導電伝熱部材は、アルミ箔に限定されるものではなく、銅箔等の他の金属箔や、その他、導電性及び伝熱性に優れた材質であれば金属以外でもかまわない。また、各導電部材は銅線に限定されるものではなく、また、電導中間層は銅線を編み込んだ不織布に限定されるものではない。更に、アース線は導電伝熱部材であるアルミ箔に直接取付けるのではなく、不織布の銅線や、カーペットの銅線に接続するよう取付けてもよい。更に、各導電部材は銅線に限らず、短い金属線を多数含んで構成させてもよい。更に、カーペットの導電部材と不織布の導電部材の編み込み方向は直交する必要はなくランダムでよい。
【００２４】
【発明の効果】
本発明に係るカーペット付き冷暖房マットによれば、ベースマット表面の導電伝熱部材上に積層したカーペットの導電部材、或は電導中間層及びカーペットの導電部材は、互いに通電可能な状態となり、前記導電部材に対し電気的に接続される静電気除去用のアース線を備えれば、該アース線を介して暖房対象床面に電気的に接続されるから、カーペット等の上を人が移動することで発生する摩擦電荷を前記アース線を通して逃がすことができ、その結果、人体への帯電が防止され、静電気により不快なショックを受けるという静電気障害を除去することができる。
【図面の簡単な説明】
【図１】本発明の第１実施例に係るカーペット付き冷暖房マットを示す断面図である。
【図２】本発明の第１実施例に係るカーペット付き冷暖房マットの構成要素を分解して示す斜視図である。
【図３】本発明の第２実施例に係るカーペット付き冷暖房マットを示す断面図である。
【図４】従来のカーペット付き冷暖房マットを示す断面図である。
【符号の説明】
１０ａ，１０…カーペット付き冷暖房マット
２０…ベースマット
２２…伝熱流体パイプ
２３…アルミ箔（導電伝熱部材）
３０…不織布（電導中間層）
３１，４１…銅線（導電部材）
４０…カーペット
【図１】
0003623257.tif 000002
【図２】
0003623257.tif 000003
【図３】
0003623257.tif 000004
【図４】
0003623257.tif 000005